(57)【要約】【課題】  プリント配線基板の湾曲部にかかる負荷を十分に軽減する。【解決手段】  基板本体５１を局部的にわん曲させて遊技機内に配設される可撓性のプリント配線基板５であって、基板本体５１のわん曲部に、隣り合う配線の間隔を相対的に小さくして基板本体５１の他の部分５２，５３，５４に対し相対的に板幅を狭幅とした狭幅部５５と、配線が形成されていない基板本体５１部分に抜き穴５４１を形成した抜き穴部５４と、基板本体５１の両側縁から内方へ進入する切欠き５３１を形成した切欠き部５３とを設ける。【選択図】        図４
2006006436.tif 000002
【特許請求の範囲】
【請求項１】
基板本体を局部的にわん曲させて遊技機内に配設される可撓性のプリント配線基板であって、前記基板本体のわん曲部の少なくとも一部に、隣り合う配線の間隔を相対的に小さくして前記基板本体の他の部分に対し相対的に板幅を狭幅とした狭幅部と、配線が形成されていない前記基板本体部分の少なくとも一箇所に抜き穴を形成した抜き穴部と、前記基板本体の外縁から内方へ進入する切欠きを少なくとも一つ形成した切欠き部と、を少なくともーつ以上設けたことを特徴とする遊技機のプリント配線基板。
【請求項２】
前記基板本体の少なくとも一部を遊技機の盤面部品の表示部に位置させた請求項１に記載の遊技機のプリント配線基板。
【請求項３】
前記基板本体を透光性材料で構成し、前記基板本体の一面側の必要箇所に、前記配線に接続された発光体チップを設けて、その出力光を前記基板本体の他面側へ透過させるようにした請求項２に記載の遊技機のプリント配線基板。
【請求項４】
前記基板本体の他面側からシール体を貼着して、当該シール体によって前記基板本体の少なくとも一部を前記表示部に固着し、かつ、前記シール体の、前記発光体チップの出力光を透過させる部分に散光性を付与した請求項３に記載の遊技機のプリント配線基板。
【発明の詳細な説明】
【技術分野】
【０００１】
本発明は、パチンコ遊技機、アレンジボール遊技機、メダル、パチンコ球を遊技媒体として使用するスロットマシン等の遊技機のプリント配線基板に関し、特に、遊技機の各部品への配線に好適に使用できる可撓性のあるプリント配線基板に関する。
【背景技術】
【０００２】
遊技機の表示器に可撓性のあるプリント配線基板を使用した例が特許文献１に示されており、ここでは、表面に発光ダイオードチップをダイボンディングしたフィルム基板を、取付突起を熱カシメすることで表示プレートに固定している。また、特許文献２には、可撓性基板に基部と、これから枝分かれした複数の多枝部とを形成して、上記基部にて集合コネクタに接続するとともに、各多枝部に設けたコネクタを各遊技機能部品のコネクタに接続するようにした配線装置が示されている。
【特許文献１】特開平８−１３７４１５
【特許文献２】特開平１１−２５３６３５
【発明の開示】
【発明が解決しようとする課題】
【０００３】
ところで、遊技機の盤面部品等へ配線する際には遊技機のわん曲部に沿って配線する必要があること等から可撓性のあるフィルム状のプリント配線基板が多用されている。しかし、可撓性のプリント配線基板であってもそのわん曲部に応力が集中して負荷が増大することは避けられず、負荷の軽減が望まれていた。
本発明はこのような要請に鑑みたもので、プリント配線基板のわん曲部にかかる負荷を十分に軽減できる遊技機のプリント配線基板を提供することを目的とする。
【課題を解決するための手段】
【０００４】
上記目的を達成するために、本第１発明では、基板本体（５１）を局部的にわん曲させて遊技機内に配設される可撓性のプリント配線基板（５）であって、基板本体（５１）のわん曲部の少なくとも一部に、隣り合う配線の間隔を相対的に小さくして基板本体（５１）の他の部分（５２，５３，５４））に対し相対的に板幅を狭幅とした狭幅部（５５）と、配線が形成されていない基板本体（５１）部分の少なくとも一箇所に抜き穴（５４１）を形成した抜き穴部（５４）と、基板本体（５１）の外縁から内方へ進入する切欠き（５３１）を少なくとも一つ形成した切欠き部（５３）と、を少なくともーつ以上設ける。
【０００５】
本第１発明においては、基板本体のわん曲部の少なくとも一部に切欠き部が設けられると、この部分で基板本体の外縁に生じる応力が軽減されて、上記わん曲部にかかる負荷が低減される。また、基板本体のわん曲部の少なくとも一部に抜き穴部が設けられると、この部分で基板本体が曲がり易くなり、板面に生じる応力が軽減されて、上記わん曲部にかかる負荷が低減される。さらに、基板本体のわん曲部の少なくとも一部に狭幅部が設けられると、この部分で基板本体が曲がり易くなり、板面に生じる応力が軽減されて、上記わん曲部にかかる負荷が低減される。
【０００６】
本第２発明では、上記基板本体（５１）の少なくとも一部（５２）を遊技機の盤面部品（１）の表示部（Ｄ）に位置させる。本第２発明において、盤面部品は、意匠的、装飾的効果を高めるために曲面部が多用されているので、本発明の技術を使用する頻度が高い。従来のような、表示部に設けられたプリント配線基板からリード線等を使用して盤面部品の裏面側に電気的接続を行う場合に比べて、可撓性のある、厚みの薄いプリント配線基板を使用して電気的接続を行うほうが、他部品との干渉が少なくなるので、電気的接続ラインの引き回しが容易になる。
【０００７】
本第３発明では、上記基板本体（５１）を透光性材料で構成し、基板本体（５１）の一面側の必要箇所に、配線に接続された発光体チップ（６）を設けて、その出力光を基板本体（５１）の他面側へ透過させるようにする。本第３発明においては、基板本体の他面側をフラットな形状にすることができるから、当該他面側を遊技機の前面側に配置すれば、従来のように、基板本体の前側面に設けた発光体チップをカバー等の部品で覆ってフラットにする等の必要が無くなる。
【０００８】
本第４発明では、基板本体（１）の他面側からシール体（７）を貼着して、当該シール体（７）によって基板本体（１）の少なくとも一部を上記表示部（Ｄ）に固着し、かつ、シール体（７）の、上記発光体チップ（６）の出力光を透過させる部分に散光性を付与する。本第４発明においては、基板本体の取り付けが容易に行えるとともに、光拡散構造を容易に構成することができる。
【０００９】
なお、上記カッコ内の符号は、後述する実施形態に記載の具体的手段との対応関係を示すものである。
【発明の効果】
【００１０】
以上のように、本発明の遊技機のプリント配線基板によれば、プリント配線基板のわん曲部にかかる負荷を十分に軽減してその耐久性を向上させることができる。
【発明を実施するための最良の形態】
【００１１】
図１には本発明のプリント配線基板を内設した、遊技機の盤面部品たる入賞球受口器の正面図を示す。また、図２には図１のII−II線に沿った入賞球受口器の断面図を、図３には図１のIII−III線に沿ったカバー部前壁の断面図をそれぞれ示す。入賞球受口器１の筐体２は、操作部材３（図２）を収納した容器部２１と、その前面に装着されたカバー部２２とから構成されている。容器部２１の前壁２１１には開口２１２が形成されており、前壁２１１の外周部は取付用のフランジとなっている。カバー部２２は容器部２１の前壁２１１に接する底壁２２１と、底壁２２１から湾曲して立ち上がる前壁２２２を備えた断面略Ｌ字状のものである（図２）。前壁２２２は上記前壁２１１よりも狭幅の所定形状に成形されて（図１）、前壁２１１に対して一定間隔を保って略平行に延びている。前壁２２２の裏面には上下方向の中間の左右位置に、前壁２１１に向けて突出する一対の軸体２２３が形成されて、これら各軸体２２３にそれぞれ翼状の可動片４Ａ，４Ｂの基端部が貫通孔を嵌装させて回動可能に装着されている。
【００１２】
前後の前壁２１１，２２２の間に位置させられた各可動片４Ａ，４Ｂは、対向する内側面が平面状に成形され、外側面は膨出する曲面状に成形されている。可動片４Ａ，４Ｂが閉鎖姿勢にある状態では、左右の可動片４Ａ，４Ｂは内側面を略平行に対向させて起立姿勢となっている（図１）。可動片４Ａ，４Ｂが開放姿勢になった状態では、左右の可動片４Ａ，４Ｂは互いに離間方向へ傾倒して、可動片４Ａ，４Ｂ間に形成される入賞開口１１の開口径が大きくなる。容器部２１内に配設された操作部材３は長方形状の板体で、その中間位置に幅方向へ貫設された軸部材３１が容器部２１の側壁間に回転可能に支持されて、天秤式に傾動可能である。操作部材３は傾倒状態ではその前端部３４が下降して、全体が後方へやや下り傾斜している。図２の鎖線で示すように前端部３４が上昇した傾斜状態では、操作部材３は全体が大きく後方へ下り傾斜する。
【００１３】
傾倒状態の操作部材３の前端部３４は左右の可動片４Ａ，４Ｂの基端部間に割り込むように位置してこれら可動片４Ａ，４Ｂを起立させ、閉鎖させている（図１）。この状態で入賞開口１１へ遊技球が進入すると、遊技球は操作部材３の前端部３４から操作部材３上を後方へ転動し、その荷重で操作部材３の後端部３５が下降して操作部材３が傾斜状態になる。これにより、操作部材の前端部３４が左右の可動片４Ａ，４Ｂの基端部間から上方へ脱して可動片４Ａ，４Ｂが傾倒し、開放される。可動片４Ａ，４Ｂが開放した状態で入賞開口１１へ遊技球が進入すると、遊技球は操作部材３の前端部３４に突設された当接部４０に当接し、その荷重で操作部材３の前端部３４が下降して、可動片４Ａ，４Ｂが再び閉鎖姿勢に戻される。
【００１４】
カバー部前壁２２２の前面は表示部Ｄとなっており、当該表示部Ｄでは、前壁前面は外周縁を除く大部分が浅く凹陥して表示面２２４となっている。表示面２２４は前方へ凸状となるように緩く湾曲しており（図３）、表示面２２４上には詳細を以下に説明するプリント配線基板５が配設されている。図４にプリント配線基板５の平面図を示し、図５には図４のV−V線に沿ったその断面図を示す。プリント配線基板５は透光性でかつ可撓性のある樹脂フィルムの基板本体５１を備えており、基板本体５１は一般部５２、切欠き部５３、抜き穴部５４、および狭幅部５５より構成されている。一般部５２は、上記カバー部前壁２２２の表示面２２４よりもやや小さい略相似形状をなす広幅の部分で、その裏面（図５の上面）板面には複数箇所に背面発光型の、発光体チップたる発光ダイオードチップ６が設けられている。これら発光ダイオードチップ６はダイボンディングによってそれぞれ基板本体５１上に形成された配線（図示略）の一端に接続されている。各配線は、一般部５２からこれに隣接する切欠き部５３を経て、抜き穴部５４から狭幅部５５へと延び、狭幅部５５の一端に設けられたコネクタ５６に入力接続されている。
【００１５】
上記切欠き部５３には、基板本体５１の両側縁にそれぞれ板面内方へ一定長で進入する切欠き５３１が形成されている。また、切欠き部５３に続く抜き穴部５４には、配線の形成されていない板面部分に抜き穴５４１が形成されている。抜き穴部５４に続く狭幅部５６では、コネクタ５６へ延びる隣り合った配線の間隔を相対的に小さくして、その板幅を一般部５２の略１／４程度に狭幅としてある。
【００１６】
このようなプリント配線基板５は、基板本体５１の一般部５２がその表面側を前方に位置させてカバー部前壁２２２の表示面２２４上に位置させられる。そして、前壁２２２の下端わん曲部に沿って基板本体５１が湾曲を開始する位置に、切欠き部５３とこれに続いて抜き穴部５４が位置させられる。そして、基板本体５１の狭幅部５５は前壁２２２下端に設けられた開口２２５を経てカバー部２２内へ大きく湾曲しつつ進入し、その一端に設けられたコネクタ５６がカバー部２２の底壁２２１上に位置させられている。この状態で基板本体５１の一般部５２の裏面側に設けられた発光ダイオードチップ６は、これらに対応して前壁２２２に設けられた開口２２６内にそれぞれ位置させられる。
【００１７】
プリント基板５１は、一般部５２の一端に設けられた取付穴５２１（図４）を前壁２２２裏面に形成された係止突起２２７に嵌装して位置決めされ、表示面２２４全体に前方から貼着されたシール体７によって表示面２２４上に固定されている。シール体７の表面には適当な意匠模様が付されるとともに、基板本体５１の一般部５２に設けた発光ダイオードチップ６に対応するシール体７の所定領域は、シール体７の本体を光拡散機能を有する材質で構成する等によって、発光ダイオードチップ６の背面側から前壁２２２の前方へ発せられる出力光を散光するようになっている。
【００１８】
このように本実施形態では、プリント配線基板５の基板本体５１が湾曲し始める部分には、その両側縁に切欠き部５３の切欠き５３１が形成されているから、両側縁に生じる応力が軽減される。これに続いて基板本体５１が湾曲する部分には抜き穴部５４の複数の抜き穴５４１が板面に形成されているから基板本体５１が曲がり易くなり、板面に生じる応力が軽減される。そしてさらに、基板本体５１が開口２２５内へ大きく湾曲する部分には狭幅部５５が位置して、基板本体５１の板幅が大幅に狭くなっているから基板本体５１はさらに曲がり易くなり、板面に生じる応力が軽減される。このようにして、湾曲に伴って基板本体５１にかかる負荷が軽減され、その耐久性が向上させられる。なお、基板本体５１が湾曲する部分に設けられる上記切欠き部５３、抜き穴部５４、および狭幅部５５はその全てを設ける必要はなく、いづれか一つ以上を設ければ耐久性向上の効果は得られる。
【図面の簡単な説明】
【００１９】
【図１】本発明の一実施形態を示す、遊技機の入賞球受口器の正面図である。
【図２】図１のII−II線に沿った入賞球受口器の断面図である。
【図３】図１のIII−III線に沿ったカバー部前壁の断面図である。
【図４】プリント配線基板の平面図である。
【図５】図４のV−V線に沿ったプリント配線基板の断面図である。
【符号の説明】
【００２０】
１...入賞球受口器、５...プリント配線基板、５１...基板本体、５２...一般部、５３...切欠き部、５４...抜き穴部、５５...狭幅部、６...発光ダイオードチップ、７...シール体、Ｄ...表示部。
【図１】
2006006436.tif 000003
【図２】
2006006436.tif 000004
【図３】
2006006436.tif 000005
【図４】
2006006436.tif 000006
【図５】
2006006436.tif 000007